(57)【特許請求の範囲】
【請求項１】
コイン又はパチンコ玉等の遊技媒体を介して遊技が行われ、遊技機本体の前面下部に、払出し口から払出された遊技媒体を受け入れる受け皿を備えてなる遊技機において、
前記受け皿は、側面視において倒三角形状を呈し、上部を横長矩形状に開放した箱状に形成されてなり、
該受け皿を、左右両端で軸支して回動可能に設け、かつ該受け皿に、その側部位置で遊技機本体の横幅内に収まるようにして回動操作用の把手を配設し、回動範囲を規定する規定手段により、払出された遊技媒体を受け入れる水平状に保持された定常位置と、前部側が下方に回動して受け皿内の遊技媒体を自重により排出する排出位置とに変換可能とすると共に、
受け皿を定常位置側に付勢する付勢手段を備え、排出位置に回動された受け皿を前記付勢手段によって定常位置に自動復帰させるようにし、
さらには定常位置で受け皿に遊技媒体を略満杯に受け入れた状態の重心が、受け皿の回動中心位置より後方位置となるようにしたことを特徴とする遊技機における遊技媒体の受け皿装置。
【発明の詳細な説明】
【０００１】
【発明の属する技術分野】
本発明は、コインやパチンコ玉等の遊技媒体を介して遊技を行う遊技機に用いられる遊技媒体の受け皿装置に関する。
【０００２】
【従来の技術】
コインを遊技媒体として遊技を行うスロットルマシーン等のコイン遊技機や、パチンコ玉を遊技媒体として遊技を行うパチンコ機等の遊技機にあっては、遊技機本体の前面下部に受け皿が設けられており、払出し口から払出された遊技媒体を受け入れて貯留し得るようになっている。
【０００３】
ところで、コイン遊技機の場合、前記受け皿は浅底の矩形状に形成され、側部に配設される灰皿を含めた横幅が遊技機本体の横幅に近い大きさとなっており、この受け皿が遊技機本体の前面下部に一体成形または固着により、水平状に配設されている。また、この受け皿は、１，２回の「大当り」により払出されるコインを貯留し得る程度の容量となっている。そして、受け皿がコインで満杯となったときや、遊技をやめるときには、薄くて摘みにくいコインを受け皿の前壁内面に沿って掻き上げるようにして取り出して、別途用意されている貯留箱への移し替えを行っている。
【０００４】
【発明が解決しようとする課題】
上記のような従来の固定式の受け皿にあっては、受け皿内のコインを貯留箱に移し替える際に、受け皿から手で何度もコインを掻き出さなければならないため、時間がかかり、極めて面倒であるという問題点があった。また、遊技中に「大当り」が連続的に発生すると、短時間で受け皿が満杯になってしまうため、上記のような手による非能率的なコインの掻き出し作業を頻繁に行わなければならない煩わしさがあった。
【０００５】
このコインの掻き出し作業を不要とするために、受け皿の底壁に設けた開口部を、後端を枢支した可動底板によって開閉可能に遮蔽し、その遮蔽位置で可動底板を係止する係止部材の係止解除操作により、可動底板の前部側を下方に傾斜させて、該可動底板の前縁と受け皿の周壁下縁との間に開口を生じさせ、該開口から可動底板上を滑落するコインを排出させるようにしたものが一部で案出されている。しかるに、このものは構造が複雑で、コスト高となり、また、可動底板の前縁と受け皿の周壁下縁との間に生じるコイン排出用の開口が充分でないため、摩擦抵抗が大きく流動性の悪いコインが前記開口に詰まり易く、円滑に排出し難い。さらに、可動底板上に受け皿内のコインの荷重が直接的にかかり、係止部材の係止を解除した瞬間に該荷重によって可動底板が急激に下方回動するため、これを防ぐには、その荷重を手で支えなければならず、コインが満杯の時には大きな力を必要とするといった問題点がある。
【０００６】
本発明は、コイン又はパチンコ玉等の遊技媒体を受け皿から手で掻き出すことなく、簡単かつ迅速に貯留箱に移し替え得るようにした遊技媒体の受け皿装置を提供することを目的とするものである。
【０００７】
【課題を解決するための手段】
本発明は、コイン又はパチンコ玉等の遊技媒体を介して遊技が行われ、遊技機本体の前面下部に、払出し口から払出された遊技媒体を受け入れる受け皿を備えてなる遊技機において、前記受け皿は、側面視において倒三角形状を呈し、上部を横長矩形状に開放した箱状に形成されてなり、該受け皿を、左右両端で軸支して回動可能に設け、かつ該受け皿に、その側部位置で遊技機本体の横幅内に収まるようにして回動操作用の把手を配設し、回動範囲を規定する規定手段により、払出された遊技媒体を受け入れる水平状に保持された定常位置と、前部側が下方に回動して受け皿内の遊技媒体を自重により排出する排出位置とに変換可能とすると共に、受け皿を定常位置側に付勢する付勢手段を備え、排出位置に回動された受け皿を前記付勢手段によって定常位置に自動復帰させるようにし、さらには定常位置で受け皿に遊技媒体を略満杯に受け入れた状態の重心が、受け皿の回動中心位置より後方位置となるようにしたことを特徴とする遊技機における遊技媒体の受け皿装置である。
【０００８】
かかる構成にあって、受け皿を定常位置から排出位置に回動させることにより、受け皿内の遊技媒体がその自重により受け皿の前縁から排出される。そして、この排出される遊技媒体を貯留箱に受け入れることにより、受け皿内の遊技媒体を貯留箱に簡単に移し替えることができる。ここで、受け皿の上部が開放されており、排出を阻害する何の障害物もないため、遊技媒体が詰まることがなく、その排出を円滑に行わせることができる。また、受け皿が左右両端で軸支されており、受け皿内の遊技媒体の荷重が支えられているため、受け皿の回動に必要なだけの小さな力で回動操作を楽に行うことができる。
【０００９】
前記構成の受け皿装置にあって、受け皿を定常位置側に付勢する付勢手段を備え、排出位置に回動された受け皿を前記付勢手段によって定常位置に自動復帰させるようにする構成としている。この構成により、排出位置に回動させた受け皿を定常位置にその都度戻す操作を行う必要がないため、手間がかからず、また常時は受け皿が定常位置で保持され、払出し口から払出された遊技媒体を円滑に受け入れることができる。
【００１０】
また、定常位置で受け皿に遊技媒体を略満杯に受け入れた状態の重心が、受け皿の回動中心位置より後方位置となるようにしている。このため、受け入れた遊技媒体の重みによって受け皿が排出位置側に不要回動することがなく、遊技媒体が不用意に排出されることを防止することできる。
【００１１】
さらに、受け皿に回動操作用の把手を設けているから、受け皿の回動操作を容易に行うことができる。また、該把手を、受け皿の側部位置で遊技機本体の横幅内に収まるように配設すれば、遊技に支障を来すことがなく、隣の遊技者の邪魔になることもない。さらに製品搬送時における収まりがよく、邪魔にならない利点もある。
【００１２】
また、定常位置と排出位置間を回動する受け皿の、その回動範囲を規定する規定手段を設けていることにより、受け皿が所定角度で確実に回動し、定常位置では水平状態で位置決めされる一方、排出位置では前部側が下方回動した状態で位置決めされるので受け皿が揺動せず、これにより、遊技媒体をこぼすことなく貯留箱に移し替えることができる。
【００１３】
【発明の実施の形態】
以下に、本発明に係る遊技機における遊技媒体の受け皿装置をスロットルマシーン等のコイン遊技機に適用した一実施例を、図１〜図６について説明する。
【００１４】
コイン遊技機は、図１に示すように、遊技機本体１の前面中央に表示窓２が設けられ、該表示窓２には、内蔵された三個のリールの外周面に描かれている図柄が表示される。表示窓２の下方には、コイン投入口３，スタートレバー４や、三個のストップボタン５，５，５が配設され、さらに遊技機本体１の下部中央にコインの払出し口６が開口されている。そして、該払出し口６から払出されるコインを受け入れる受け皿８を備えた本発明に係る受け皿装置７が、遊技機本体１の前面下部に配設されている。
【００１５】
かかるコイン遊技機は、コイン投入口３から遊技媒体としてのコインを投入し、スタートレバー４を押し下げて三個のリールを回転させた状態で、ストップボタン５，５，５を順に押して各リールの回転を止めることにより、表示窓２に表示される各リールの図柄が所定の組み合わせとなった時に、所定枚数のコインが払出し口６から払出される。また、特定図柄の組み合わせが揃うと「大当り」となり、連続的に所定の図柄が揃い、大量のコインが払出されるようになっている。
【００１６】
次に、本発明の要部について説明する。
受け皿装置７を構成する受け皿８は、側面視において倒三角形状を呈し（図４参照）、上部を横長矩形状に開放した箱状に形成されている。ここで、前上りに傾斜する前壁９ａの勾配は後壁９ｂの勾配より緩くなっており、また前壁９ａの上縁中央部分を前方に若干突出させて幅を狭め、これをコインの排出部１０としている。
【００１７】
前記受け皿８は、遊技機本体１の下部前壁面１７の左右両側に配設された一対の支持部材１１ａ，１１ｂにより回動可能に軸支される。即ち、受け皿８の左右側壁９ｃ，９ｃに突設された支軸１２，１２を、支持部材１１ａ，１１ｂの内壁面に形成された軸受孔１３，１３に嵌挿して支持することにより、受け皿８を左右両端で軸支して回動可能としている。また、支軸１２，１２は受け皿８の重心Ｇ（図４参照）より前方に偏寄した位置に配置されており、これによって、受け皿８自体の重心Ｇ及び受け皿８に遊技媒体を略満杯に受け入れた状態の重心が、受け皿８の回動中心位置である支軸１２，１２を結ぶ線より後方位置となるようにしている。
【００１８】
前記支持部材１１ａ，１１ｂは、遊技機本体１の内側から挿通される複数のネジ１４によって遊技機本体１の下部前壁面１７に固定されている。この支持部材１１ａ，１１ｂのうち、一方の支持部材１１ａは、上面に所定深さの凹部１５を備え、灰皿として使用し得るようになっている。また、他方の支持部材１１ｂには、外壁面から前記内壁面側の軸受孔１３に水平に連通する挿通孔１６が形成されており、該挿通孔１６には、後述する把手２０の取付け部２０ｂが挿通される。
【００１９】
また、前記受け皿８の後壁９ｂに対向する遊技機本体１の下部前壁面１７には、その略中央位置に三角状の規制突起１８が配設されており、図４に示すように、該規制突起１８に後壁９ｂを当接させることにより、受け皿８が水平状に位置決めされるようになっている。そして、この位置を払出し口６から払出される遊技媒体を受け入れる定常位置としている。ここで、受け皿８の重心Ｇが回動中心位置より後方位置であるため、受け皿８に後ろ回りの回転モーメント力が作用し、後壁９ｂが規制突起１８に当接して受け皿８の水平状態が保持される。また、受け皿８の下部には、前記規制突起１８に当接可能なストッパー１９が突設されており、図６に示すように、受け皿８の前部側を下方に回動させると、ストッパー１９が規制突起１８に当接し、受け皿８が前傾状態で位置決めされる。そして、この位置を受け皿８内の遊技媒体を自重により排出する排出位置としている。これにより、定常位置と排出位置間を回動する受け皿８の、その回動範囲を規定する規定手段が構成されている。尚、前記規制突起１８を、合成ゴム，弾性樹脂等の緩衝材で形成するか、または、受け皿８の後壁９ｂ及びストッパー１９が当接する部分に緩衝材１８’を配設して形成することにより、後壁９ｂ及びストッパー１９の衝当時における衝撃が吸収され、規制突起１８や、後壁９ｂ及びストッパー１９等の各部材の損傷を防止することができる。
【００２０】
さらに、受け皿８には、回動操作用の把手２０が設けられている。該把手２０は上方に立ち上げられた操作部２０ａと、該操作部２０ａの下部を水平方向に曲成した取付け部２０ｂとを備えたレバー杆からなり、図５に示すように、前記支持部材１１ｂの挿通孔１６に取付け部２０ｂを挿通した状態で、受け皿８の内側から取付け部２０ｂの端部に螺合されるネジ２１によって受け皿８に固定されている。そして、この把手２０の操作部２０ａを前後方向に回動させることにより、受け皿８を上下方向に回動し得るようになっている。
【００２１】
前記把手２０は、図１に示すように、受け皿８の側部位置で遊技機本体１の横幅内に収まるように配設されている。これにより、該把手２０が、遊技に支障を来さないようにするとともに、隣の遊技者の邪魔にならないようにしている。さらに製品搬送時における収まりをよくし、邪魔にならないようにしている。
【００２２】
また、前記把手２０の操作部２０ａと、遊技機本体１の下部前壁面１７間には、コイルバネ２２が引張状態で張設されている。そして、このコイルバネ２２を、受け皿８を定常位置側に付勢する付勢手段としており、該付勢手段によって排出位置に回動された受け皿８を定常位置に自動復帰させ得るようになっている。さらに、該付勢手段によって受け皿８が定常位置に保持される。
【００２３】
かかる構成にあって、受け皿８に溜った遊技媒体を貯留箱に移し替えるには、定常位置にある受け皿８の前縁下部に貯留箱を宛がった状態で、把手２０の操作部２０ａを手前に引き、コイルバネ２２の付勢力に抗して受け皿８の前部側を下方に回動させることにより、図６に示すように、ストッパー１９が規制突起１８に当接して受け皿８が排出位置に位置決めされ、斜め下向きに傾斜した受け皿８の前壁９ａ上を遊技媒体Ｃが自重により滑落して排出部１０から排出されることとなり、受け皿８内の遊技媒体Ｃを貯留箱Ａに簡単かつ迅速に移し替えることができる。
【００２４】
そして、この排出時にあって、把手２０の操作部２０ａを手前にゆっくり引いて、受け皿８の前部側を下方にゆっくり回動させることにより、遊技媒体Ｃが一気に排出されることなく、その排出量を自在に調整することができ、また、ストッパー１９を規制突起１８に当接させて受け皿８を排出位置に位置決めすることにより、受け皿８が揺動せず、遊技媒体Ｃをこぼすことなく貯留箱Ａに移し替えることができる。さらに、受け皿８の上部が開放されており、排出を阻害する何の障害物もないため、遊技媒体Ｃが詰まることがなく、その排出を円滑に行わせることができる。また、受け皿８が左右両端で軸支されており、受け皿８内の遊技媒体Ｃの荷重が支えられているため、受け皿８の回動に必要なだけの小さな力で回動操作を楽に行うことができる。尚、受け皿８の回動操作は、上記のように把手２０の操作部２０ａを介して行うこと以外に、受け皿８の前縁下部に貯留箱Ａを宛がった状態で、該貯留箱Ａを持つ手の指を受け皿８の前縁に掛けて受け皿８を回動させることによっても行うことができる。このようにすると、既に貯留箱Ａに大量の遊技媒体Ｃが貯留されている場合において、その重量を両手で確実に支えた状態で受け皿８を回動させることができ、新たな遊技媒体Ｃの移し替えを安定して行うことができる。
【００２５】
上記のように、遊技媒体を排出させた後、把手２０の操作部２０ａから手を離すか、力を緩めると、コイルバネ２２の付勢力を介して、受け皿８は前部側が上方へ向けて回動し、排出位置から定常位置に自動的に復帰する。これにより、排出位置に回動させた受け皿８を定常位置にその都度戻す操作を行う必要がなく、手間がかからない。
【００２６】
また、このように、定常位置に自動復帰した受け皿８は、後壁９ｂが規制突起１８に当接して水平状に位置決めされ、払出し口６から新たに払出される遊技媒体を受け入れることとなる。この定常位置にあって、受け皿８は、遊技媒体を略満杯に受け入れた状態の重心が、受け皿８の回動中心位置より後方位置となっていることにより、受け入れた遊技媒体の重みによって受け皿８が前部側に不要回動せず、遊技媒体が不用意に排出されることがない。
【００２７】
尚、上記実施例では、受け皿８を定常位置側に付勢する付勢手段として、把手２０の操作部２０ａと、遊技機本体１の下部前壁面１７間にコイルバネ２２を張設するようにしているが、このような目視可能な位置に代えて、コイルバネ２２を支持部材１１ｂ内に配設することもできる。また、支持部材１１ｂ内で把手２０の取付け部２０ｂに蔓巻バネを巻装し、その一端を支持部材１１ｂに係止して付勢力を生じさせる付勢手段を用いてもよい。さらに、実施例では、付勢手段により受け皿８を定常位置に保持する作用も得るようにしているが、受け皿８の定常位置の保持は、受け皿８の後壁９ｂと、遊技機本体１の下部前壁面１７とに磁石を配設して、その吸着作用によって行うようにしてもよい。
【００２８】
また、実施例では、把手２０の操作部２０ａを、支持部材１１ｂの外側位置に配設するようにしているが、これに代えて、操作部２０ａの基部を受け皿８の側壁９ｃに取付けて操作部２０ａを受け皿８に立設するようにしてもよい。また、把手２０を、実施例で示したレバー杆に代えて中心に回動軸を備えた円盤体とし、該回動軸を支持部材１１ｂの外側から挿通孔１６に挿通して受け皿８に固定する構成としてもよい。
【００２９】
また、実施例では、規制突起１８を、遊技機本体１の下部前壁面１７の略中央位置に設けるようにしているが、該規制突起１８は、受け皿８の後壁９ｂに対向する下部前壁面１７の横幅全体に亘って設けてもよく、ストッパー１９もこれに対応させて受け皿８の横幅全体に亘って設けてもよい。
【００３０】
さらに、実施例では、支持部材１１ａ，１１ｂを複数のネジ１４によって遊技機本体１の下部前壁面１７に固定するようにしているが、該支持部材１１ａ，１１ｂを、遊技機本体１の下部前壁部に一体成形するようにしてもよい。
【００３１】
また、実施例では、本発明をコイン遊技機に適用した場合について説明したが、本発明は、パチンコ玉を遊技媒体として遊技を行うパチンコ機等の遊技機にも適用することが可能である。
【００３２】
【発明の効果】
本発明は、上述したように、受け皿を、左右両端で軸支して回動可能に設け、該受け皿を、払出された遊技媒体を受け入れる水平状に保持された定常位置と、前部側が下方に回動して受け皿内の遊技媒体を自重により排出する排出位置とに変換可能としたから、受け皿を定常位置から排出位置に回動させることにより、受け皿内の遊技媒体がその自重により受け皿の前縁から排出され、貯留箱に簡単かつ迅速に移し替えることができる。また、受け皿の上部が開放されており、排出を阻害する何の障害物もないため、遊技媒体が詰まることがなく、その排出を円滑に行わせることができる。さらに、受け皿が左右両端で軸支されており、受け皿内の遊技媒体の荷重が支えられているため、受け皿の回動に必要なだけの小さな力で回動操作を楽に行うことができる。
【００３３】
また、受け皿を定常位置側に付勢する付勢手段を設け、排出位置に回動された受け皿を該付勢手段によって定常位置に自動復帰させるようにしたから、排出位置に回動させた受け皿を定常位置にその都度戻す操作を行う必要がなく、手間がかからない。また常時は付勢手段によって受け皿が定常位置に保持されるので、払出し口から払出された遊技媒体を円滑に受け入れることができる。
【００３４】
さらに、定常位置で受け皿に遊技媒体を略満杯に受け入れた状態の重心が、受け皿の回動中心位置より後方位置となるようにしたから、受け入れた遊技媒体の重みによって受け皿が排出位置側に不要回動することがなく、遊技媒体が不用意に排出されることを防止することができる。
【００３５】
また、受け皿に回動操作用の把手を設けたから、受け皿の回動操作を容易に行うことができ、該把手を、受け皿の側部位置で遊技機本体の横幅内に収まるように配設したことにより、遊技に支障を来すことがなく、隣の遊技者の邪魔になることもない。さらに製品搬送時における収まりがよく、邪魔にならない利点もある。
【００３６】
また、定常位置と排出位置間を回動する受け皿の、その回動範囲を規定する規定手段を設けたことにより、受け皿が所定角度で確実に回動し、定常位置では水平状態で位置決めすることができる一方、排出位置では前部側が下方回動した状態で位置決めされるので受け皿が揺動せず、遊技媒体をこぼすことなく貯留箱に移し替えることができる等の優れた効果がある。
【図面の簡単な説明】
【図１】本発明に係る受け皿装置を備えたコイン遊技機の正面図である。
【図２】同上の受け皿装置の分解斜視図である。
【図３】同上のコイン遊技機の後部省略側面図である。
【図４】受け皿装置部分の側面図である。
【図５】把手の取付け構造を示す縦断面図である。
【図６】作用状態を示す受け皿装置部分の側面図である。
【符号の説明】
１  遊技機本体
６  払出し口
７  受け皿装置
８  受け皿
１１ａ，１１ｂ  支持部材
１２  支軸
１３  軸受孔
１８  規制突起（規定手段）
１９  ストッパー（規定手段）
２０  把手
２２  コイルバネ（付勢手段）
Ａ  貯留箱
Ｃ  遊技媒体
【図１】
0003638236.tif 000002
【図２】
0003638236.tif 000003
【図３】
0003638236.tif 000004
【図４】
0003638236.tif 000005
【図５】
0003638236.tif 000006
【図６】
0003638236.tif 000007